Podtech/llm-jp-corpus-v4-ja_patent huggingface dataset:
【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
平滑な内面を有する呼吸ガス経路を画定する第一の内管と、
前記第一の管を取り囲み前記第一の管と前記第二の管の間に空間を画定する第二の外管であって、前記空間が実質的な停滞ガスを含む断熱部を含む第二の外管と、
前記内管の前記内面の外側に位置付けられ、前記内管と複数の位置で接触するヒータと、
を備える呼吸管であって、
前記第二の外管が前記第一の内管とは独立して形成され、分離されており、前記内管が前記外管の中に、蛇行しない経路に沿って自由に延在する呼吸管。
【請求項２】
前記実質的な停滞ガスが少なくとも実質的に前記空間内に封入される、請求項１に記載の呼吸管。
【請求項３】
前記実質的な停滞ガスが前記空間内を流れる速度が０．３Ｌ／分以下である、請求項１または２に記載の呼吸管。
【請求項４】
前記ヒータが前記内管の外側に巻き付けられた少なくとも１本のヒータワイヤを含む、請求項１〜３のいずれか１項に記載の呼吸管。
【請求項５】
前記ヒータが前記内管の壁に埋め込まれたヒータワイヤを含む、請求項１〜４のいずれか１項に記載の呼吸管。
【請求項６】
前記ヒータが第一の端と第二の端を有する少なくとも１本のヒータワイヤを含み、
前記少なくとも１本のヒータワイヤが電気ループとして配置され、それによって前記第一の端と前記第二の端が前記呼吸管の同じ端に位置付けられる、請求項４または５に記載の呼吸管。
【請求項７】
前記ループが前記ループの端に電気的に接続された２本のヒータワイヤを含む、請求項６に記載の呼吸管。
【請求項８】
前記ヒータワイヤが前記内管の軸に対してらせん状に配置される、請求項４〜７のいずれか１項に記載の呼吸管。
【請求項９】
前記らせん状に配置されたヒータワイヤが、前記呼吸管の長さに沿って、らせんピッチが変化するように配置される、請求項８に記載の呼吸管。
【請求項１０】
前記ヒータワイヤが前記内管の軸に対して平行に配置される、請求項４〜７のいずれか１項に記載の呼吸管。
【請求項１１】
前記第二の外管が蛇管である、請求項１〜１０のいずれか１項に記載の呼吸管。
【請求項１２】
前記蛇腹状の外管が、外側の山部と内側の谷部を交互に有する蛇腹形状と、実質的に均一な壁厚を有する、押出成形による管である、請求項１１に記載の呼吸管。
【請求項１３】
前記蛇腹状の外管が、らせん状の補強用輪帯を有する、らせん状に巻き付けられた管である、請求項１１に記載の呼吸管。
【請求項１４】
前記空間内の前記断熱部がさらに、羊毛、ガラスまたは鉱物繊維、断熱ガスまたは流体、発泡または膨張ポリマ等の断熱材料を含む、請求項１〜１３のいずれか１項に記載の呼吸管。
【請求項１５】
前記第一の内管が前記平滑な内面上に少なくとも１つのらせん状輪帯を含む、請求項１〜１４のいずれか１項に記載の呼吸管。
【請求項１６】
前記第一の内管が前記外壁上に少なくとも１つのらせん状輪帯を含み、前記第一の内管が前記外面上にらせん状輪帯を有する、請求項１〜１５のいずれか１項に記載の呼吸管。
【請求項１７】
前記らせん状ワイヤのピッチが前記呼吸管の長さに沿って変化する、請求項１６に記載の呼吸管。
【請求項１８】
前記内管の前記内壁がさらに、前記内管の円周の周囲に配置され、前記内管の長手方向の軸と略整列する複数の畝状突起を含む、請求項１〜１７のいずれか１項に記載の呼吸管。
【請求項１９】
前記畝状突起が２〜８個ある、請求項１８に記載の呼吸管。
【請求項２０】
前記畝状突起が３〜５個ある、請求項１８に記載の呼吸管。
【請求項２１】
前記内管の前記外壁はさらに、前記内管の円周の周囲に配置され、前記内管の長手方向の軸と略整列する複数の畝状突起を含む、請求項１〜２０のいずれか１項に記載の呼吸管。
【請求項２２】
前記畝状突起が２〜８個ある、請求項２１に記載の呼吸管。
【請求項２３】
前記畝状突起が３〜５個ある、請求項２１に記載の呼吸管。
【請求項２４】
前記呼吸管の第一の端において、前記ヒータが前記内管の前記壁を貫通し、前記第一の端部コネクタを通って前記ガス経路の中に延び、前記第一の端部コネクタの壁に関連付けられた端子に電気的に接続される、請求項１〜２３のいずれか１項に記載の呼吸管。
【請求項２５】
前記ヒータが前記呼吸管に沿ったいずれの点においても、前記呼吸ガス経路に露出されない、請求項１〜２３のいずれか１項に記載の呼吸管。
【請求項２６】
前記ヒータが通路の中を前記第一の端部コネクタを通り、前記第一のコネクタの壁に関連付けられた端子と電気的に接続される、請求項２５に記載の呼吸管。
【請求項２７】
前記端子が前記第一の端部コネクタの前記壁の中に支持された少なくとも１つの電気コンタクトであり、前記コンタクトが前記呼吸管の外からアクセス可能である、請求項２５または２６に記載の呼吸管。
【請求項２８】
前記内管の内径が３ｍｍ〜１５ｍｍの間である、請求項１〜２７のいずれか１項に記載の呼吸管。
【請求項２９】
前記内管の内径が６ｍｍ〜１０ｍｍの間である、請求項１〜２８のいずれか１項に記載の呼吸管。
【請求項３０】
前記内管の内径が７ｍｍ〜９ｍｍの間である、請求項１〜２９のいずれか１項に記載の呼吸管。
【請求項３１】
前記内管の内径が１５ｍｍ〜３０ｍｍの間である、請求項１〜２７のいずれか１項に記載の呼吸管。
【請求項３２】
前記内管の内径が１６ｍｍ〜２５ｍｍの間である、請求項１〜２７のいずれか１項に記載の呼吸管。
【請求項３３】
前記呼吸管が、乳児患者に最高１０Ｌ／分の高流量療法を提供するための呼吸療法システムの一部である、請求項２８〜３０のいずれか１項に記載の呼吸管。
【請求項３４】
前記呼吸管が、成人患者に最高６０Ｌ／分の高流量療法を提供するための呼吸療法システムの一部である、請求項３１または３２に記載の呼吸管。
【請求項３５】
前記らせん状輪帯のピッチが「緩く」、それによって前記輪帯が前記内管内のガス流を大きく妨害しない、請求項１５に記載の呼吸管。
【請求項３６】
前記内面に、
ａ）畝状突起、
ｂ）蛇腹形状、
ｃ）空洞、
ｄ）凹み、または
ｅ）ガス流を妨害する特徴部
のいずれも含まれない、請求項１〜１４のいずれか１項に記載の呼吸管。
【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
第１の端部、およびユーザの一方または両方の肩に当接するように構成された第２の端部を有するアームアセンブリと、
アームアセンブリを支持するように構成された支持構造体であって、アームアセンブリが、支持構造体に連結され、支持構造体から外側に延び、支持構造体に対して水平方向および垂直方向に同時に移動できるように構成された支持構造体と、
アームアセンブリに連結された第１の端部、および支持構造体に連結された第２の端部を有する弾性負荷デバイスと、
アームアセンブリの長さに沿って移動可能な張力調整部とを備え、
アームアセンブリが与える負荷を調整できるように、弾性負荷デバイスの第１の端部が張力調整部に連結され、
張力調整部はラチェット機構を有し、ラチェット機構は張力調整部をアームアセンブリの長さに沿って移動させ、これに沿った所定位置に固定させるように構成されたことを特徴とするエクササイズマシン。
【請求項２】
第１の端部、およびユーザの一方または両方の肩に当接するように構成された第２の端部を有するアームアセンブリと、
アームアセンブリを支持するように構成された支持構造体であって、アームアセンブリが、支持構造体に連結され、支持構造体から外側に延び、支持構造体に対して水平方向および垂直方向に同時に移動できるように構成された支持構造体と、
アームアセンブリに連結された第１の端部、および支持構造体に連結された第２の端部を有する弾性負荷デバイスと、
アームアセンブリの第２の端部に設けられた、ユーザの一方または両方の肩に当接するように構成された１つまたはそれ以上のパッドと、
アームアセンブリの第２の端部に設けられた、１つまたはそれ以上のパッドの水平方向の移動を規制するように構成された１つまたはそれ以上の範囲リミッタとを備え、
１つまたはそれ以上のパッドは、アームアセンブリの第２の端部に回転可能に取り付けられていることを特徴とするエクササイズマシン。
【請求項３】
エクササイズマシンであって、
第１の端部と、第２の端部に設けられた、ユーザに下向きの負荷を与えるように構成された１つまたはそれ以上のユーザ当接パッドとを有するピボットアームと、
エクササイズマシンを安定させるように構成された支持構造体であって、ピボットアームが、支持構造体から外側に延び、支持構造体により所定の高さ位置に保持され、支持構造体に対して水平方向および垂直方向に同時に移動できるように構成された支持構造体と、
アームアセンブリを所定位置に固定するために係合し、ピボットアームを解放するために係合を解除するように構成された固定機構とを備え、
固定機構は、ピボットアームに連結された固定部と、支持構造体に連結された係止部とを有し、
係止部は、ピボットアームの上方への移動を可能にする開口頂部を有することを特徴とするエクササイズマシン。
【請求項４】
方向可変マシンでユーザをトレーニングする方法であって、
ユーザの上半身の一部にピボットアームの当接端部を当接させるステップと、
ピボットアームが、方向可変マシンの支持構造体に連結され、支持構造体から外側に延び、支持構造体により所定の高さ位置に保持され、支持構造体に対して水平方向および垂直方向に同時に移動できるように構成され、
上半身を前方向および後方向に移動させることなく、上半身に加えた負荷に耐えながら膝を曲げることにより上半身を下方位置に下げるステップと、
上半身を下方位置に下げるステップは、ピボットアームを垂直方向に回転させ、
上半身を前方向および後方向に移動させることなく、上半身に加えた負荷に打ち克つように膝および腰を伸ばすことにより上半身を上方位置に上げるステップと、
上半身を上方位置に上げるステップは、ピボットアームを垂直方向に回転させ、
第１の足を水平方向へ踏み込むステップと、
上半身を下げながら水平方向に移動するステップとを有し、
水平方向に移動するステップは、ピボットアームを水平方向に回転させることを特徴とする方法。
【請求項５】
上半身を上げながら水平方向に移動するステップを有し、
水平方向に移動するステップは、ピボットアームを水平方向に回転させることを特徴とする請求項４に記載の方法。
【請求項６】
第１および第２の足が接近するように、第２の足を第１の足の方へ移動させるステップを有することを特徴とする請求項４に記載の方法。
【請求項７】
１回または複数回、上半身を下げながら第１の水平方向に移動させるステップと、
１回または複数回、上半身を下げながら第２の水平方向に移動させるステップと、
第１および第２の水平方向に移動させるステップは、ピボットアームを第１および第２の水平方向に回転させることを特徴とする請求項４に記載の方法。
【請求項８】
ピボットアームを解放するために、ピボットアームの固定機構の係合を解除するステップを有することを特徴とする請求項４に記載の方法。
【請求項９】
ピボットアームの長さに沿って張力調整部を移動させることにより、負荷を調整するステップを有し、
負荷は、張力調整部に取り付けられた負荷デバイスにより与えられることを特徴とする請求項４に記載の方法。
【請求項１０】
アームアセンブリの第１の端部にピボットを有し、
アームアセンブリは、ピボットで支持構造体に連結され、
ピボットは、アームアセンブリが支持構造体に対して複数の水平方向および垂直方向に移動できるように構成されたことを特徴とする請求項１に記載のエクササイズマシン。
【請求項１１】
ピボットアームに連結された第１の端部、および支持構造体に連結された第２の端部を有する弾性負荷デバイスを有することを特徴とする請求項３に記載のエクササイズマシン。
【請求項１２】
ピボットアームに沿って移動可能な張力調整部を有し、
張力調整部が与える張力を調整できるように、弾性負荷デバイスの第１の端部が張力調整部に連結されることを特徴とする請求項１１に記載のエクササイズマシン。
【請求項１３】
１つまたはそれ以上のユーザ当接パッドは、これがユーザに対して回転し、ユーザの上半身に当接可能にするピボットを有することを特徴とする請求項３に記載のエクササイズマシン。
【請求項１４】
ピボットアームの当接端部に設けられた１つまたはそれ以上の回転パッドを有し、
１つまたはそれ以上の回転パッドは、ユーザの上半身に当接し、水平方向の回転が規制されるように構成されたことを特徴とする請求項３に記載のエクササイズマシン。
【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
ゴルフボール金型であって、当該金型を使用して形成されるゴルフボールの外表面に複数のディンプルを形成するように構成された複数の隆起を含む金型表面を有し、前記金型表面は、合わせて第１のディンプル容積を形成する複数の第１の隆起を含み、ゴルフボールの極部分からなる１以上の第１の領域と、前記第１のディンプル容積よりも小さい第２のディンプル容積を形成し、ゴルフボールの赤道の回り帯域からなる少なくとも１つの第２の領域とを含み、前記第１および第２の領域は、前記ゴルフボールの優先スピン軸およびジャイロ中心平面を形成し、前記ジャイロ中心平面がすべての前記領域を通らないように構成されているゴルフボール金型。
【請求項２】
前記第１および第２の領域は、非公認ディンプルパターンを画定する、請求項１のゴルフボール金型。
【請求項３】
前記帯域は、前記ゴルフボールの前記赤道の面の両側に１列が配置された少なくとも２列の第２のディンプルを画定する第２の隆起を含む、請求項１のゴルフボール金型。
【請求項４】
前記少なくとも１つの第２の領域は、前記ジャイロ中心平面に対して４５°までの位置にある、請求項１のゴルフボール金型。
【請求項５】
前記１以上の第１の領域は、前記ジャイロ中心平面に対して４５°までの位置の外側にある、請求項４のゴルフボール金型。
【請求項６】
前記隆起は、球形ディンプルである第１のディンプルと、台形ディンプルである第２のディンプルとを画定する、請求項３のゴルフボール金型。
【請求項７】
前記台形ディンプルの台形弦深さは、前記球形ディンプルの球形弦深さよりも小さい、請求項６のゴルフボール金型。
【請求項８】
（i）前記台形弦深さは、前記球形弦深さの半分より小さい、または
（ii）それぞれの前記台形ディンプルの前記台形弦深さは、０．００４インチであり、それぞれの前記球形ディンプルの前記球形弦深さは、０．０１２インチである、
請求項７のゴルフボール金型。
【請求項９】
前記隆起は、台形ディンプルまたは球形ディンプルの少なくともいずれかである第１のディンプルおよび第２のディンプルを画定する、請求項３のゴルフボール金型。
【請求項１０】
（i）前記隆起は、前記極部分において前記ディンプルを少なくとも２つの異なる大きさに画定し、または
（ii）前記隆起は、前記極部分に、第１の範囲の半径を有する球形ディンプルの第１の組と、前記第１の範囲の半径よりも小さい第２の範囲の半径を有する球形ディンプルの第２の組とを含むディンプルを画定する、
請求項１のゴルフボール金型。
【請求項１１】
前記隆起は、前記第１の組と第２の組の前記球形ディンプルをすべて等しい大きさに画定する、請求項１０のゴルフボール金型。
【請求項１２】
前記隆起は、少なくとも２つの異なる大きさのディンプルを含むように、前記球形ディンプルの第１と第２の組の少なくともいずれかを画定する、請求項１０のゴルフボール金型。
【請求項１３】
前記隆起は、最小ディンプル半径と最大ディンプル半径との間の複数の異なる半径を有するディンプルを含む前記球形ディンプルの前記第１の組を画定する、請求項１０のゴルフボール金型。
【請求項１４】
（i）前記第１の組のディンプルの大半は、前記最小ディンプル半径と前記最大ディンプル半径との間の半径を有し、または
（ii）前記最大ディンプル半径の前記ディンプルは、前記最小ディンプル半径の前記ディンプルよりも多い、
請求項１３のゴルフボール金型。
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
被験者のグルコースレベルを非侵襲に測定するための一体式のデバイスであって、
前記被験者の体の一部を受容するように構成された、第１の部分と対向する第２の部分を有する一体式の外付けユニットと、
（ａ）前記外付けユニットの前記第１の部分に位置づけられる第１超音波ピエゾ素子および前記外付けユニットの前記対向する第２の部分に位置づけられる第２超音波ピエゾ素子であって、第１の膜は前記第１超音波ピエゾ素子を覆い、第２の膜は前記第２超音波ピエゾ素子を覆い、超音波を利用してグルコースレベルを測定する、前記第１超音波ピエゾ素子および前記第２超音波ピエゾ素子と、
（ｂ）前記第１の膜および前記第２の膜であって、自動発振手段が接続されている第１及び第２蓄電板をそれぞれ構成し、電磁気を利用してグルコースレベルを測定する前記第１の膜および前記第２の膜と、
（ｃ）ヒータおよび熱センサであって、両方共前記第１の部分に位置づけられ、前記第１超音波ピエゾ素子から離間されて、熱特性によりグルコースレベルを測定する前記ヒータおよび前記熱センサとを備えるデバイス。
【請求項２】
前記超音波ピエゾ素子、前記蓄電板、前記ヒータおよび前記熱センサが、前記外付けユニットの中に収容される、請求項１に記載のデバイス。
【請求項３】
測定を制御し、前記外付けユニットからグルコールレベル値を受信し、前記グルコースレベル値の重み付け後の組み合わせを計算して、正確なグルコース読取り値を生成するメインユニットと、前記メインユニットと前記外付けユニットを電気的に接続する手段とをさらに備える、請求項２に記載のデバイス。
【請求項４】
前記超音波ピエゾ素子が、送受波器と受信機を含む、請求項３に記載のデバイス。
【請求項５】
前記外付けユニットが、前記第１の部分と前記対向する第２の部分の間の距離を決定するための手段をさらに備える、請求項２に記載のデバイス。
【請求項６】
前記決定する手段が磁石とセンサを備える、請求項５に記載のデバイス。
【請求項７】
前記外付けユニットが、前記第１の部分と前記対向する第２の部分の間の距離を設定する調節ねじをさらに備える、請求項５に記載のデバイス。
【請求項８】
前記外付けユニットが、周辺温度センサをさらに備える、請求項２に記載のデバイス。
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
床清掃具であって、
ハウジングと、
前記ハウジングに連結されるとともに洗浄溶液を保持するように構成されているリザーバーと、
少なくとも１つの車輪であって、該少なくとも１つの車輪によって、該床清掃具は床面にわたって進行方向に移動し、該進行方向は該床清掃具の前部、後部及び横側部を少なくとも部分的に規定する、少なくとも１つの車輪と、
近位端と遠位端とを含むハンドルであって、前記近位端は該床清掃具の一方の側部に位置決めされ、前記遠位端は該床清掃具の中心線上に位置決めされ、該ハンドルは、前記車輪より上に位置決めされた軸であって該床清掃具の前記進行方向に対して横方向に延びる軸の回りに枢動可能である、ハンドルと、
を備える、床清掃具。
【請求項２】
前記ハンドルの、前記近位端と前記遠位端との間の部分は前記中心線に実質的に平行にかつ該中心線から離間して延びる、請求項１に記載の床清掃具。
【請求項３】
前記ハンドルは、該ハンドルの前記遠位端が前記ハウジングの後ろに少なくとも部分的に位置する展開位置と、該ハンドルの少なくとも一部が前記展開位置の前方の位置に回転する収納位置との間で前記軸の回りに枢動可能である、請求項１に記載の床清掃具。
【請求項４】
前記ハンドルは、該ハンドルの前記収納位置では前記床清掃具の前方に少なくとも部分的に延びる、請求項３に記載の床清掃機。
【請求項５】
ロックであって、前記ハンドルに連結されるとともに、該ロックが前記ハンドルを前記軸の回りの少なくとも１つの回転位置に解放可能に固定するロック状態と、前記ハンドルが前記軸の回りに回転可能であるロック解除状態とを有する、ロックを更に含む、請求項１に記載の床清掃機。
【請求項６】
前記ハンドルは前記軸の回りの複数の回転位置を有し、前記ロックは該ハンドルを該複数の回転位置のそれぞれに解放可能に固定する、請求項４に記載の床清掃機。
【請求項７】
前記ハンドルの前記近位端は、前記床清掃具の一方の側部に位置するジョイントによって回転可能に取り付けられている、請求項１に記載の床清掃具。
【請求項８】
前記ハンドルは、前記床清掃具の前記中心線に位置する前記遠位端から、前記床清掃具の前記一方の側部へ横方向及び前方に、そして前記床清掃具の前記一方の側部に位置する前記近位端まで延びる、請求項１に記載の床清掃具。
【請求項９】
床清掃具であって、
ハウジングと、
前記ハウジングに連結されるとともに洗浄溶液を収容する形状であるリザーバーと、
前記ハウジングに連結されるとともに複数の孔を画定している弾性変形可能なプレートと、
導管であって、前記リザーバーから前記プレートまで延びるとともに、洗浄溶液を前記リザーバーから該導管を通して、そして前記弾性変形可能なプレートの前記複数の孔を通して送達するように前記リザーバーと前記プレートとの間に流体連通を確立する導管と、
を備え、
前記弾性変形可能なプレートは洗浄及び取り替えのために前記導管及び前記ハウジングから取り外し可能である、床清掃具。
【請求項１０】
前記ハウジング内の、複数の孔を画定しているリセスであって、前記弾性変形可能なプレートを取り外し可能に受け入れるサイズである、リセスを更に含む、請求項９に記載の床清掃具。
【請求項１１】
前記弾性変形可能なプレートは、前記リセス内の前記複数の孔のそれぞれに受け入れられるサイズである複数の突出部を画定し、前記突出部はそれぞれ、前記弾性変形可能なプレートを貫通して画定されている孔を含む、請求項１０に記載の床清掃具。
【請求項１２】
前記孔は、前記弾性変形可能なプレートを貫通する断面サイズが変化する、請求項９に記載の床清掃具。
【請求項１３】
前記弾性変形可能なプレートは、前記ハウジング内の、前記導管から洗浄溶液を受け入れるように位置決めされているチャンバーの底部に位置する、請求項９に記載の床清掃具。
【請求項１４】
前記弾性変形可能なプレートはエラストマー材料製である、請求項９に記載の床清掃具。
【請求項１５】
床清掃具であって、
ハウジングと、
遠位端と、前記ハウジングに回転可能に連結された近位端とを有するハンドルと、
前記ハンドルの遠位端に隣接して位置決めされたユーザー操作可能な制御部と、
前記ユーザー操作可能な制御部に連結されるロックであって、前記ユーザー操作可能な制御部の作動によってロック状態からロック解除状態へ移動可能であり、前記ロック状態にあるときは前記ハンドルを前記ハウジングに対して複数の回転位置のうちの１つに維持し、前記ハンドルが前記ハウジングに対して前記複数の回転位置のうちの別の位置に移動することを可能にするように解放可能であり、かつ前記ハンドルを前記複数の回転位置のうちの他の位置に維持するように前記ロック状態に再び移動可能である、ロックと、
を備える、床清掃具。
【請求項１６】
前記床清掃具は、前記ハンドルとともに回転可能な第１の部材であって、前記ハウジングに対する前記ハンドルの回転を選択的に阻止するように一組の歯と解放可能に係合可能である少なくとも１つの歯を含む、第１の部材を更に備え、前記第１の部材は少なくとも１つの歯が前記一組の歯の一部と係合するロック状態と、少なくとも一つの歯が前記一組の歯の前記一部から離間したアンロック状態との間で、前記ハンドルに対して回転可能である、請求項１５に記載の床清掃具。
【請求項１７】
前記一組の歯は前記ハウジングに対して固定されている歯車上にあり、前記第１の部材は前記ロック状態で前記歯車と接触して回転し、前記アンロック状態で前記歯車との接触が外れる、請求項１６に記載の床清掃具。
【請求項１８】
前記床清掃具は、前記ハンドルとともに回転可能な第２の部材であって、前記ハウジングに対する前記ハンドルの回転を選択的に阻止するように前記一組の歯と回転可能でかつ解放可能に係合可能である少なくとも１つの歯を含む、第２の部材を更に備える、請求項１６に記載の床清掃具。
【請求項１９】
前記第１の部材の前記歯は、該第１の部材の該歯及び前記第２の部材の前記歯のうちの一方のみが前記ハウジングに対する前記ハンドルの少なくとも１つの回転位置で前記一組の歯と係合するように前記第２の部材の前記歯からオフセットされている、請求項１８に記載の床清掃具。
【請求項２０】
前記第１の部材の前記歯を付勢して前記一組の歯と係合させるように位置決めされている付勢部材を更に備える、請求項１６に記載の床清掃具。
【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
摩耗部分および補強部分を含む、スクリーンデッキに取り付けられるように適合された、鉱業および採石業のためのスクリーニングパネルであって、摩耗部分が、補強部分の上に形成されたスクリーニング面を備え、摩耗部分が前記パネルの上部であり、補強部分が前記パネルの底部であり、摩耗部分および補強部分が別個のユニットであり、摩耗部分が、スクリーニング作業の円滑な機能を確実にするように、交換可能であるように適合されている、スクリーンパネル。
【請求項２】
スクリーニング面が外側に広がる設計を有する耐擦傷性開口部を備えている、請求項１に記載のスクリーンパネル。
【請求項３】
摩耗部分が、２つ以上のユニットに分離されている、請求項１に記載のスクリーンパネル。
【請求項４】
摩耗部分および補強部分が、ボタン型滑り嵌め、ピンおよびラグ機構、およびボルト締めのいずれかにより、互いに取り付けられるように適合されている、請求項３に記載のスクリーンパネル。
【請求項５】
摩耗部分がポリウレタン、ゴムおよび鋼の少なくとも１つから構成されており、補強部分が、ゴムおよびポリウレタンの一方による高温加硫または鋳造によって作製された枠である、請求項１〜４のいずれか一項に記載のスクリーンパネル。
【請求項６】
スクリーニング面が、軟鋼、ステンレス鋼、ゴム、および鋼補強材を有するまたは有しないポリウレタンのうちのいずれか、またはそれらの組合せでできている、請求項１に記載のスクリーンパネル。
【請求項７】
前記パネルが、前記パネルの外縁においてかつ前記パネルの内部領域を横切って延在する、内部に鋼補強バーが埋め込まれた加硫材料を含み、それにより、前記スクリーニング面に対して支持を提供する、請求項１〜６のいずれか一項に記載のスクリーンパネル。
【請求項８】
前記パネルの補強部分が、ボタン型滑り嵌め、ピンおよびラグ機構、およびボルト締めのいずれかにより機械の枠に取り付けられている、請求項１〜７のいずれか一項に記載のスクリーンパネル。
【請求項９】
スクリーンデッキに取り付けられるように適合された、鉱業および採石業のためのスクリーニングパネルを製造する方法であって、スクリーニング面を有する摩耗部分と補強部分とを設計するステップと、補強部分の上に摩耗部分を形成するステップと、を含み、摩耗部分および補強部分を別個のユニットとして作製し、それにより、摩耗部分が、スクリーニング作業の円滑な機能を確実にするように交換可能であるようにするステップをさらに含む、方法。
【請求項１０】
複数のスクリーンパネルが取り付けられている、鉱業および採石業のためのスクリーニングデッキであって、前記パネルの各々が、摩耗部分および補強部分を有し、摩耗部分が、補強部分に形成されたスクリーニング面を備え、摩耗部分が前記パネルの上部であり、補強部分が前記パネルの底部であり、摩耗部分および補強部分が別個のユニットであり、摩耗部分が、スクリーニング作業の円滑な機能を確実にするように、交換可能であるように適合されている、スクリーニングデッキ。
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
ナノワイヤー（１）を形成する方法であって、
−  気体中に浮遊する触媒種晶粒子（２）を供給すること、
−  形成しようとする前記ナノワイヤー（１）の構成物質を含む気体状前駆物質（３、４）を供給すること、
−  少なくとも１つの触媒粒子の表面に少なくとも１つの種結晶を形成すること、および、
−  前記触媒種晶粒子が前記気体中に浮遊している間に、前記気体状前駆物質（３、４）を含む気相合成において、前記形成された種結晶の少なくとも１つから、少なくとも１つのナノワイヤー（１）をエピタキシャルに成長させること、
を含む方法。
【請求項２】
前記ナノワイヤー（１）が連続プロセスで形成される、請求項１に記載の方法。
【請求項３】
形成される前記ナノワイヤー（１）が、前記気体によって搬送される、請求項１または２に記載の方法。
【請求項４】
少なくとも１つの前記ナノワイヤーの直径が、前記触媒種晶粒子の大きさおよび／または前記種結晶の大きさによって決定される、請求項１から３のいずれかに記載の方法。
【請求項５】
前駆物質の組成、前駆物質のモル流量、キャリアガスの流量、温度、圧力、またはドーパントと関係する、１つまたは複数のパラメータを制御することによって、各ナノワイヤー（１）の成長中の成長条件を変化させ、その結果、ナノワイヤー片が、先行形成されたナノワイヤー部分の上で、その縦方向に軸方向成長するか、または、シェルが、前記の先行形成されたナノワイヤー部分の上で、その半径方向に半径方向成長するか、または、材料が、軸方向成長と半径方向成長との組み合わせとして付加されるようにし、さらに、前記成長条件を変化させて、各ナノワイヤー（１）内で組成、ドーピング、導電型に関してヘテロ構造を得る、請求項１から４のいずれかに記載の方法。
【請求項６】
前駆物質の組成、前駆物質のモル流量、キャリアガスの流量、温度、圧力、もしくはドーパントと関係する１つまたは複数のパラメータを制御することによって、前記成長条件を経時的に変化させるか、あるいは、前記触媒種晶粒子（２）の粒度分布を変化させ、その結果、異なる特性のナノワイヤー（１）が形成されるようにする、請求項５に記載の方法。
【請求項７】
前記触媒種晶粒子（２）が、前記気体状前駆物質（３、４）と混合されたエアロゾルとして供給される、もしくは、前記触媒種晶粒子（２）が、前記触媒粒子（２）の少なくとも１つの構成物質を含む気体状反応剤から形成することにより供給される、請求項１から６のいずれかに記載の方法。
【請求項８】
前記触媒種晶粒子（２）を含む気体が、１つまたは複数の反応区間を通って連続的に流れ、各反応区間は、前記ナノワイヤーに材料を付加することによって、前記ナノワイヤー成長に寄与し、各反応区間の通過後に成長したナノワイヤーが前記気体によって搬送される、もしくは、前記触媒種晶粒子（２）が帯電される、請求項１から７のいずれかに記載の方法。
【請求項９】
形成されるナノワイヤー（１）のその場分析をさらに含む、請求項１から８のいずれかに記載の方法。
【請求項１０】
前記ナノワイヤー形成プロセスを妨害することなく、その場分析パラメータからのフィードバックによって、前記ナノワイヤー成長を制御することをさらに含む、請求項１から９のいずれかに記載の方法。
【請求項１１】
前記その場分析が、前記ナノワイヤー（１）の光学特性を明らかにするために、形成されるナノワイヤー（１）を照射すること、および前記ナノワイヤー（１）からの発光を検出することを含む、請求項９または１０に記載の方法。
【請求項１２】
前記ナノワイヤー（１）を、基材に沿った連続的なプロセスで、前記基材上に付着させることおよび／または整列させることをさらに含む、請求項１に記載の方法。
【請求項１３】
ナノワイヤー（１）を成長させるための少なくとも１つの反応器（８）を備える、ワイヤーを形成するためのシステムであって、
−  気体中に浮遊する触媒種晶粒子（２）を前記反応器（８）へ供給するための手段（９）、
−  形成しようとする前記ナノワイヤー（１）の構成物質を含む気体状前駆物質（３、４）を前記反応器（８）へ供給するための手段、
−  少なくとも１つの触媒粒子の表面に少なくとも１つの種結晶を形成するための手段、および、
−  前記触媒種晶粒子（２）が前記気体中に浮遊している間に、前記気体状前駆物質（３、４）を含む気相合成において前記形成された種結晶の少なくとも１つからエピタキシャルに成長するナノワイヤー（１）を集めるための手段、
を備えるシステム。
【請求項１４】
直列および／または並列に配置される複数の反応器（８）を備える、請求項１３に記載のシステム。
【請求項１５】
形成される前記ナノワイヤー（１）のその場分析手段（１２）、および、その場分析のフィードバックのため、および成長条件の制御のための手段をさらに備える、請求項１４に記載のシステム。
【手続補正書】
【提出日】平成26年5月8日(2014.5.8)
【手続補正１】
【補正対象書類名】明細書
【補正対象項目名】００７９
【補正方法】変更
【補正の内容】
【００７９】
図２６に示すように、パッケージフィルム２２をフィルムロール１０２から得て、テン
ショナ１０３を通過させてピンと張った状態に維持してもよい。フィルム２２は、１１２
に示す方向に駆動ベルト（図示せず）によって引っ張られるテンショナ１０３を通過して
もよい。フィルム２２がテンショナ１０３を通過する際、フィルムがラベルロールから段
階的に前進した（すなわち、貼り付けられるラベルごとに包装容器１個の長さだけ前進さ
せられた）ときに密閉層２６（ラベル）を貼り付けてもよい。
【手続補正２】
【補正対象書類名】明細書
【補正対象項目名】００８０
【補正方法】変更
【補正の内容】
【００８０】
図示のように、ラベル２６および筋２４は、フィルムロールに事前に貼り付けられても
よい。言い換えれば、密閉層２６および筋２４は、包装容器を形成するためにフィルムの
連続的なロールがデバイス１００に装着される前にフィルムに貼り付けられる。事前に貼
り付けられるか、製造ライン上で貼り付けられるかにかかわらず、ラベルストックはライ
ナーレスロールから得ることが好ましいが、ラベルロールを使用してもよい。他の構成で
は、本明細書において説明するような筋構成が、フィルムロール１０２と連続的なラベル
を製造する際にフィルムロール１０２に事前に貼り付けられてもよいことに留意されたい
。いずれの場合も、ラベル２６は、ラベルロール１１４に事前に塗布されることが好まし
い感圧接着剤５４によってフィルムと貼り合わされる。
【手続補正書】
【提出日】平成26年9月29日(2014.9.29)
【手続補正１】
【補正対象書類名】特許請求の範囲
【補正対象項目名】請求項６
【補正方法】変更
【補正の内容】
【請求項６】
前記制御する方法は：
ｉ）前記演算器（１０）内で、当該複数のモータの全ての位置に基づいて、特徴点（Ｂ）の直交座標系速度（Ｖ（Ｂ））を計算することから成る補助ステップと、
ｊ）当該計算された直交座標系速度（Ｖ（Ｂ））を閾値と比較することから成る補助ステップと、
ｋ）前記直交座標系速度（Ｖ（Ｂ））が、前記閾値より大きいときに、警報信号を前記演算器（１０）から前記コントロールセンタ（８）に送信することから成る補助ステップとを有することを特徴とする請求項５に記載の制御する方法。
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
（ａ）アルコキシ化オリゴグリセロールエステル、
（ｂ）バイオサイド、および任意に、
（ｃ）油成分または共溶媒および／または
（ｄ）乳化剤
を含む、バイオサイド組成物。
【請求項２】
成分（ａ）として一般式（Ｉ）：
【化１】
2013526492.tif 000001
［式中、Ｒ１、Ｒ２およびＲ３は、基Ｒ１、Ｒ２およびＲ３の少なくとも１つは水素と異なるという条件で、独立して、水素、または、２〜２２個の炭素原子および３個以下の二重結合を有する、飽和または不飽和、直鎖状または分枝状の、任意にヒドロキシ置換されたアシル基のいずれかを表し、ＡＯは、エチレンオキシド、プロピレンオキシド、ブチレンオキシドおよびそれらの混合物から選択されるアルキレンオキシド単位を表し、ｎ１、ｎ２およびｎ３は、独立して、合計（ｎ１+ｎ２+ｎ３）は１０〜２００の範囲の整数であるという条件で、１〜１００の範囲の整数を意味し、ｘは、１.１〜１０の範囲の整数を意味する］
で示されるアルコキシ化オリゴグリセロールエステルを含むことを特徴とする、請求項１に記載の組成物。
【請求項３】
成分（ａ）としてエトキシ化オリゴグリセロールエステルを含むことを特徴とする、請求項１または２に記載の組成物。
【請求項４】
成分（ａ）として飽和および不飽和の植物脂肪酸から誘導したアルコキシ化オリゴグリセロールエステルを含むことを特徴とする、請求項１〜３のいずれかに記載の組成物。
【請求項５】
除草剤、殺菌剤、殺虫剤および植物成長調整剤からなる群から選択されるバイオサイド（成分ｂ）を含むことを特徴とする、請求項１〜４のいずれかに記載の組成物。
【請求項６】
アゾール、ストロビルリン、ジフェニルエーテル、アニリド、有機ホスフェート、合成ピレトロイド、ネオニコチノイド、オキサジアジン、ベンゾイル尿素、フェニルカルバメート、クロロアセトアミド、トリケトン、ピリジンカルボン酸、シクロヘキサンジオンオキシム、フェニルピラゾール、グリホサートおよびその塩、ならびにそれらの混合物からなる群から選択されるバイオサイド（成分ｂ）を含むことを特徴とする、請求項１〜５のいずれかに記載の組成物。
【請求項７】
オキシフルロフェン、プロパニル、クロルピリホス、ビフェントリン、デルタメトリン、アゾキシストロビン、クレソキシム-メチル、ラムダ-シハロトリン、ノバルロン、ルフェヌロン、イミダクロプリド、チアクロプリド、インドキサカルブ、オキシフルオルフェン、フルロキシピルおよびそのエステル、フェンメジファム、デスメジファム、アセトクロル、テブコナゾール、エポキシコナゾール、プロピコナゾール、フェンブコナゾール、トリアジメノール、フィプロニル、ならびにそれらの混合物からなる群から選択されるバイオサイド（成分ｂ）を含むことを特徴とする、請求項１〜５のいずれかに記載の組成物。
【請求項８】
６〜１８個の炭素原子を有する脂肪アルコールに基づくゲルべアルコール、直鎖状Ｃ６-Ｃ２２-脂肪酸と直鎖状または分枝状Ｃ６-Ｃ２２-脂肪アルコールとのエステルまたは分枝状Ｃ６-Ｃ１３-カルボン酸と直鎖状または分枝状Ｃ６-Ｃ２２-脂肪アルコールとのエステル、Ｃ６-Ｃ２２脂肪酸のメチルエステル、直鎖状Ｃ６-Ｃ２２-脂肪酸と分枝状アルコールとのエステル、Ｃ１８-Ｃ３８-アルキルヒドロキシカルボン酸と直鎖状または分枝状Ｃ６-Ｃ２２-脂肪アルコールとのエステル、直鎖状および／または分枝状脂肪酸と多価アルコールおよび／またはゲルベアルコールとのエステル、Ｃ６-Ｃ１０-脂肪酸に基づくトリグリセリド、Ｃ６-Ｃ１８-脂肪酸に基づく液体のモノ−／ジ−／トリグリセリド混合物、Ｃ６-Ｃ２２-脂肪アルコールおよび／またはゲルベアルコールと芳香族カルボン酸とのエステル、Ｃ２-Ｃ１２-ジカルボン酸と１〜２２個の炭素原子を有する直鎖状または分枝状アルコールまたは２〜１０個の炭素原子および２〜６個のヒドロキシル基を有するポリオールとのエステル、植物油、分枝状第一級アルコール、置換シクロヘキサン、直鎖状および分枝状Ｃ６-Ｃ２２-脂肪アルコールカーボネート、６〜１８個、好ましくは８〜１０個の炭素原子を有する脂肪アルコールに基づくゲルベカーボネート、モノプロピレングリコールとＣ２-Ｃ１８酸および安息香酸とのエステル、安息香酸と直鎖状および／または分枝状Ｃ６-Ｃ２２-アルコールとのエステル、アルキル基あたり６〜２２個の炭素原子を有する直鎖状または分枝状、対称または非対称ジアルキルエーテル、エポキシ化脂肪酸エステルのポリオールによる開環生成物、シリコーン油および／または脂肪族またはナフテン系炭化水素、鉱物油、ならびにそれらの混合物からなる群から選択される油成分または共溶媒（成分ｃ）を含むことを特徴とする、請求項１〜７のいずれかに記載の組成物。
【請求項９】
該油成分はエステル構造を示すことを特徴とする、請求項１〜８のいずれかに記載の組成物。
【請求項１０】
該油成分は、アジピン酸エステル、乳酸エステル、植物油のメチルエステル、および、アルキルエステルからなる群から選択されることを特徴とする、請求項１〜９のいずれかに記載の組成物。
【請求項１１】
非イオン性界面活性剤、アニオン性界面活性剤およびそれらの混合物からなる群から選択される乳化剤（成分ｄ）を含むことを特徴とする、請求項１〜１０のいずれかに記載の組成物。
【請求項１２】
（ａ）アルコキシ化オリゴグリセロールエステル、０.１〜９９重量％、
（ｂ）バイオサイド、１〜９９.１重量％、
（ｃ）油成分または共溶媒、０〜５０重量％、および
（ｄ）乳化剤、０〜１５重量％
を、任意に水と共に数値が合計して１００重量％となるという条件で含むことを特徴とする、請求項１〜１１のいずれかに記載の組成物。
【請求項１３】
バイオサイド用の補助剤としての、アルコキシ化オリゴグリセロールエステルの使用。
【請求項１４】
タンク混合または缶製剤において該補助剤を使用することを特徴とする、請求項１３に記載の使用。
【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
式(I)
【化１】
2013526497.tif 000001
｛式中、
mは、1または2を表し、
nは、1、2または3を表し、
R1は、ヒドロキシルまたはシアノを表し、
および
R2は、トリフルオロメトキシ、トリフルオロメチルスルファニル、トリフルオロメチルスルホニル、ペンタフルオロスルファニルまたは式
【化２】
2013526497.tif 000002
（式中、*は、フェニル環との結合点を表し、
R3AおよびR3Bは独立してフッ素またはメチルを表すか
または
互いに一体となってそれらが結合する炭素原子と一緒に、シクロプロパン-1,1-ジイル、シクロブタン-1,1-ジイル、シクロペンタン-1,1-ジイル、シクロヘキサン-1,1-ジイル、オキセタン-3,3-ジイルまたはテトラヒドロ-2H-ピラン-4,4-ジイル環を形成し、
R4は、水素、フッ素、メチル、トリフルオロメチルまたはメトキシを表す。｝の基を表す。｝
の基を表す。）
の化合物またはその塩、溶媒和物または塩の溶媒和物。
【請求項２】
請求項1に記載の式(I)
【化３】
2013526497.tif 000003
｛式中、
mおよびnは、独立して1または2を表し、
R1は、ヒドロキシルまたはシアノを表し、
および
R2は、トリフルオロメチル、トリフルオロメトキシ、トリフルオロメチルスルファニルまたは式
【化４】
2013526497.tif 000004
（式中、
*は、フェニル環との結合点を表し、
R3AおよびR3Bはいずれもメチルまたは互いに一体となってそれらが結合する炭素原子と一緒に、シクロプロパン-1,1-ジイル、シクロブタン-1,1-ジイル、オキセタン-3,3-ジイルまたはテトラヒドロ-2H-ピラン-4,4-ジイル環を形成し、
および
R4は、水素、フッ素、メチルまたはトリフルオロメチルを表す。）
の基を表す。｝
の化合物またはその塩、溶媒和物または塩の溶媒和物。
【請求項３】
請求項1または2に記載の式(I)
｛式中、
mおよびnはいずれも1または2を表し、
R1は、ヒドロキシルまたはシアノを表し、
および
R2は、トリフルオロメトキシまたは式
【化５】
2013526497.tif 000005
（式中、
*は、フェニル環との結合点を表す。）
の基を表す。｝
の化合物またはその塩、溶媒和物または塩の溶媒和物。
【請求項４】
請求項1、2または3に記載の式(I)
（式中、
R1は、ヒドロキシルを表し、
および
m、nおよびR2はそれぞれ請求項1、2または3のいずれかに記載した意味を有する。）
の化合物またはその塩、溶媒和物または塩の溶媒和物。
【請求項５】
式(I-PD)
【化６】
2013526497.tif 000006
｛式中、m、nおよびR2はそれぞれ請求項1ないし4のいずれかに記載した意味を有し、
および
RPDは、式
【化７】
2013526497.tif 000007
（式中
#は、酸素原子との結合部位を表し、
R5は、水素または(C1-C4)-アルキルを表し、
および
R6AおよびR6Bはそれぞれ独立して水素またはメチルを表す。）
のプロドラッグ基を表す。｝
の化合物またはその塩、溶媒和物または塩の溶媒和物。
【請求項６】
請求項5に記載の式(I-PD)
｛式中、RPDは、式
【化８】
2013526497.tif 000008
（式中、
#は、酸素原子との結合部位を表す。）
のプロドラッグ基を表す。｝
の化合物またはその塩、溶媒和物または塩の溶媒和物。
【請求項７】
式(II)
【化９】
2013526497.tif 000009
（式中、R2は請求項1ないし4のいずれかに記載した意味を有し、
および
Xは、臭素またはヨウ素を表す。）
の化合物を、適切なパラジウム触媒および塩基の存在下、式(III)
【化１０】
2013526497.tif 000010
（式中、
m、nおよびR1はそれぞれ請求項1ないし4のいずれかに記載した意味を有する。）
の化合物とカップリングさせ、
そして生成した式(I)の化合物を、場合によりそれらのエナンチオマーおよび/またはジアステレオマーに分離し、および/または適切な(i)溶媒および/または(ii)酸を用いて、溶媒和物、塩および/またはそれらの塩の溶媒和物に変換することにより特徴付けられる請求項1ないし4のいずれかに定義される式(I)の化合物の製造方法。
【請求項８】
式(I-A)
【化１１】
2013526497.tif 000011
（式中、m、nおよびR2はそれぞれ請求項1ないし4のいずれかに記載した意味を有する。）
の化合物を、式(VIII)
【化１２】
2013526497.tif 000012
の化合物またはRPDが請求項5または6に定義される、この化合物の活性化形態を用いて慣用される方法によりエステル化し、
生成した式(I-PD)の化合物を、場合によりそれらのエナンチオマーおよび/またはジアステレオマーに分離し、および/または適切な(i)溶媒および/または(ii)酸を用いて、溶媒和物、塩および/またはそれらの塩の溶媒和物に変換することにより特徴付けられる請求項5または6に定義される式(I-PD)の化合物の製造方法。
【請求項９】
癌または腫瘍の処置および/または予防のための医薬の製造における請求項1ないし6のいずれかに記載の化合物の使用。
【請求項１０】
虚血性心血管疾患、心不全、心筋梗塞、不整脈、卒中、肺高血圧、腎臓および肺の線維性疾患、乾癬、糖尿病性網膜症、黄斑変性症、リウマチ性関節炎およびチュバシュ赤血球増多症の処置および/または予防のための医薬の製造における請求項1ないし6のいずれかに記載の化合物の使用。
【請求項１１】
請求項1ないし6のいずれかに記載の化合物を1種以上の不活性で、非毒性の、薬学的に適切な添加物と組み合わせで含む医薬。
【請求項１２】
請求項1ないし6のいずれかに記載の化合物を1種以上のさらなる活性成分と組み合わせて含む医薬。
【請求項１３】
癌または腫瘍の処置および/または予防のための請求項11または12に記載の医薬。
【請求項１４】
虚血性心血管疾患、心不全、心筋梗塞、不整脈、卒中、肺性高血圧、腎臓および肺の線維性疾患、乾癬、糖尿病性網膜症、黄斑変性症、リウマチ性関節炎およびチュバシュ赤血球増多症の処置および/または予防のための請求項11または12に記載の医薬。
【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
シェルと、
前記シェル内に配設されたインク・リザーバと、
前記シェル上に設けられ、前記インク・リザーバから出るインクがそれにより被筆記物に塗布される、筆記用先端部であって、前記筆記用先端部が、筆記用先端と、毛管作用によって、具体的には、毛管インク送りダクトの手段によって、前記インク・リザーバから前記筆記用先端に前記インクを送出するためのインク送りアセンブリとを含む、筆記用先端部と
を備える筆記具であって、
前記筆記用先端が可撓性であり、万年筆のペン先の形状を有する可撓性カバーが可撓性の前記筆記用先端を支持するために設けられる、筆記具。
【請求項２】
前記可撓性カバーが半径方向に可撓性である、請求項１に記載の筆記具。
【請求項３】
前記インク・リザーバは、インク・カートリッジで画定され、該インク・カートリッジが着脱可能なユニットの一部分である、請求項１または２に記載の筆記具。
【請求項４】
前記シェル内において、軸方向に内外への前記着脱可能なユニットの動きをばね付勢するために、前記着脱可能なユニットの背後の前記シェル内にばね要素をさらに備える、請求項３に記載の筆記具。
【請求項５】
前記筆記用先端が前記インク・カートリッジの一部分である、請求項２から４のいずれか一項に記載の筆記具。
【請求項６】
前記可撓性カバーが前記シェルの一部分である、請求項１から５のいずれか一項に記載の筆記具。
【請求項７】
前記可撓性カバーを有する可撓性筆記用先端または前記可撓性カバーを有する前記筆記用先端部が、着脱可能なユニットの一部分である、請求項１または２に記載の筆記具。
【請求項８】
一端部に開口部を有するバレルであって、このバレルが中空のチャンバを有し、前記中空のチャンバは、その内部に配設されるインク・リザーバを有する、バレルと、
前記インク・リザーバから筆記点まで、流体連通を提供する可撓性筆記用先端アセンブリであって、この可撓性筆記用先端アセンブリが、前記開口部内に少なくとも部分的に配設されており、前記インク・リザーバから前記筆記点までインクを移送するインク・チャネルと、前記インク・チャネルを囲繞する内側スリーブと、前記内側スリーブを囲繞する可撓性の外側スリーブとを含み、前記可撓性の外側スリーブが前記バレルに接続される、可撓性筆記用先端アセンブリと、
前記開口部の近位にあり、前記可撓性筆記用先端アセンブリの一部分に沿って延在する、筆記用先端カバーであって、前記可撓性筆記用先端アセンブリの半径方向の動きに抵抗する筆記用先端カバーと
を備える筆記具。
【請求項９】
前記可撓性の外側スリーブが、複数の半径方向セグメントによって形成され、各半径方向セグメントが、別の半径方向セグメントから隙間によって分離している、請求項８に記載の筆記具。
【請求項１０】
前記筆記用先端カバーが、前記バレルおよび前記可撓性筆記用先端アセンブリのうちの一方に枢動可能に装着され、前記筆記用先端カバーと前記インク・リザーバとの間に配設されたばね要素をさらに備える、請求項８または９に記載の筆記具。
【請求項１１】
前記筆記用先端カバーが遠位端および近位端を有し、前記筆記用先端カバーが、前記近位端上に形成されたタブを含み、前記ばね要素が、前記タブを受容するようにサイズ設定および形成された凹所を含む、請求項８から１０のいずれか一項に記載の筆記具。
【請求項１２】
前記可撓性筆記用先端アセンブリと前記筆記用先端カバーとの間に配設された可撓性の圧縮要素をさらに備える、請求項８から１０のいずれか一項に記載の筆記具。
【請求項１３】
前記筆記用先端カバーが、前記バレルおよび前記筆記用先端アセンブリのうちの一方に片持ち式に装着される、請求項８から１１のいずれか一項に記載の筆記具。
【請求項１４】
前記筆記点が、多孔質のポイントおよびボール・ポイントからなる群から選択される、請求項８から１３のいずれか一項に記載の筆記具。
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
インクジェットプリンタであって、
入口および出口を有するインクジェットプリントヘッドと、
プリンタ内に設置され、プリントヘッドの下方に位置決めされ、使用者が取り換え可能なインクカートリッジであって、第１、第２および第３の流体ポートを有するインクカートリッジと、
第１の流体ポートをプリントヘッドの入口に接続する第１の流体経路と、
第２の流体ポートをプリントヘッドの出口に接続する第２の流体経路と、
第３の流体ポートを外部雰囲気に接続する第３の流体経路と、を備え、
第１および第２の流体ポートは、インクカートリッジからのインクが、プリントヘッドを介して、第１の流体経路と第２の流体経路との間を流れるように構成され、
プリントヘッドに対するインクカートリッジの高さおよびインクカートリッジ内のインクの高さが、プリントヘッドでのインク圧力を決定し、
インクカートリッジの本体が、最も短い寸法および比較的長い２つの寸法を有しており、プリンタ内に設置した場合、最も短い寸法がインクカートリッジの高さを規定するようにした、プリンタ。
【請求項２】
第１の流体経路をプリントヘッドに接続する弁をさらに備える、請求項１記載のプリンタ。
【請求項３】
第１および第２の流体経路、プリントヘッドならびにインクカートリッジは、インクが、インクカートリッジへ向かって、かつ、インクカートリッジから、ループのいずれの方向にも流れる、閉じた流体流動ループを形成している、請求項１記載のプリンタ。
【請求項４】
前記インクが、インクカートリッジへ向かって、かつ、インクカートリッジから、ループのいずれの方向にも流れることを促進するために、第１または第２の流体経路上に双方向ポンプをさらに備える、請求項３記載のプリンタ。
【請求項５】
インクカートリッジの第１、第２および第３の流体ポートのそれぞれが、対応する第１、第２、および第３の流体経路の管の隔壁針が封止的に挿入される隔壁を組み込んでいる、請求項１記載のプリンタ。
【請求項６】
各隔壁は、隔壁針によって貫通可能な膜を有する隔膜と、隔壁針が通過するスリットを有するスリット隔壁とを備える、請求項５記載のプリンタ。
【請求項７】
種々の充填状態でのインクカートリッジ内のインク高さの最大差が、プリンタ内に設置した場合、約２４ミリメートルまたはそれ以下である、請求項１記載のプリンタ。
【請求項８】
異なる色インクを収容する複数の前記インクカートリッジを備え、
前記インクカートリッジの少なくとも１つが、少なくとももう１つのインクカートリッジと比べて、前記プリントヘッドに対して異なる高さに位置決めされる、請求項１記載のプリンタ。
【請求項９】
黒色インクを収容するインクカートリッジが、イエロー色インクを収容するインクカートリッジと比べて、前記プリントヘッドに対してより低い高さに位置決めされる、請求項８記載のプリンタ。